(57)【要約】【課題】  本を読む時に所定の傾斜をもって支えることが出来、しかもどこへでも持運び出来る読書台の提供。【解決手段】  読書台は本１１がもたれ掛かる台板１と該台板１を支える支持脚２を有し、上記台板１の下端部には台板に対して垂直に起立する側壁１５によって形成される筆記具収容部３を設け、そして上記支持脚２は台板１と間に継手１６，１６・・・を介して複数の脚板８、脚板４、脚板５、脚板６、及び脚板７を連結し、これら各脚板８，４，５，６，７を組立てた構造としている。【選択図】    図１
2011045703.tif 000002
【特許請求の範囲】
【請求項１】
本を読む時に所定の傾斜をもって支えることが出来る読書台において、該読書台は本がもたれ掛かる台板と該台板を支える支持脚を有し、上記台板の下端部には筆記具収容部を設け、そして上記支持脚は台板と間に複数の継手を介して複数の脚板８、脚板４、脚板５、脚板６、及び脚板７を連結し、これら各脚板を組み立てて上記支持脚を構成し、一方、上記台板及び複数の脚板を折り畳むことで本を内部に収容可能なボックス型を構成することを特徴とする携帯可能な読書台。
【請求項２】
本を読む時に所定の傾斜をもって支えることが出来る読書台において、該読書台は本がもたれ掛かる台板と該台板を支える支持脚を有し、上記台板の下端部には筆記具収容部を設け、そして上記支持脚は台板と間に複数の継手を介して複数の脚板８、脚板４、脚板５、脚板６、及び脚板７を連結し、上記脚板８と脚板４は水平な一平面と成って机やテーブルなどの面に当接し、脚板７は上記台板の背面に当接し、又脚板５と脚板６は概略Ｖ形に屈曲して上記脚板４と脚板７とを繋いで構成し、一方、上記台板及び複数の脚板を折り畳むことで本を内部に収容可能なボックス型を構成することを特徴とする携帯可能な読書台。
【請求項３】
本を読む時に所定の傾斜をもって支えることが出来る読書台において、該読書台は本がもたれ掛かる台板と該台板を支える支持脚を有し、上記台板の下端部には筆記具収容部を設け、そして上記支持脚は台板と間に複数の継手を介して複数の脚板８、脚板４、脚板５、脚板６、及び脚板７を連結し、上記脚板８と脚板４は水平な一平面と成って机やテーブルなどの面に当接し、脚板７と脚板６は上記台板の背面に当接し、そして脚板５は上記脚板４と脚板６とを繋いで三角形断面を構成し、一方、上記台板及び複数の脚板を折り畳むことで本を内部に収容可能なボックス型を構成することを特徴とする携帯可能な読書台。
【請求項４】
上記筆記具収容部の本の下端が載る側壁両側部の一部を切欠いて開口を設け、この開口の縁に係合する切欠き溝を両側に形成した押え板を該開口に取付けた請求項１、請求項２、又は請求項３記載の携帯可能な読書台。
【請求項５】
上記筆記具収容部の本の下端が載る側壁両側部に弾性板で構成した押え板を設け、該押え板は側壁に沿って起立する縦片と縦片上端から上方へ延びる押え片を有すＬ形とし、そして縦片の下端に設けた基板を台板１に固定した請求項１、請求項２、又は請求項３記載の携帯可能な読書台。
【発明の詳細な説明】
【技術分野】
【０００１】
本発明は、机やテーブル上に本を適宜の傾斜でもって楽な姿勢で読書することができるようにし、しかも携帯可能な読書台に関するものである
【背景技術】
【０００２】
一般に読書をする場合、本は机やテーブルの上に置いて行うが、水平な机やテーブル面に置かれる本は水平となり、必然的に顔は本の上方に位置するように前屈み状態となる。この悪い姿勢の状態で長時間にわたって読書するならば、身体が疲れ、目も疲れてしまう。そこで、前屈み状態とならないで読書が出来るように、読書台が使用されている。
【０００３】
読書台には色々な形態、構造のものが知られている。例えば、実開平７−５４３３号に係る「読書台」は、陳列、保管時等に、占有体積を小さくして陳列、保管を容易に行うことができる読書台である。
すなわち、読書台は本受けとステーとから成っていて、ステーは三角形状の１対の脚とこれらの脚の間を連結する連結板とから成っている。これらの脚及び連結板は、本受けの下面に設けられた差し込み溝にそれぞれ硬嵌めして取付けられ、脚及び連結板は適宜に取り外して分解することができる。
【０００４】
実開平６−５８７２８号に係る「読書用スタンド」は、小版の本や雑誌、大版の本や雑誌までを幅広くさまざまな方向へ傾斜させた状態で安定的に保持し、寝たままで読書することのできる読書用スタンドである。
基台上に少なくとも一部に自在に折り曲げることのできる部分を有する伸縮自在な構成の支持手段を設け、この支持手段の自由端側に保持板部を着脱自在かつ傾斜角度調節自在に取付け、この保持板部に上下方向へ摺動可能に調節板部を取り付け、前記保持板部に本等の下部を押圧保持する下部表紙押え部材と下部ページ押え部材を設け、前記調節板部に本等の上部を押圧保持する上部表紙押え部材と上部ページ押え部材を設けた上で、さらに前記保持板部の両側部に本等の両側部を係止する一対の側部ページ押え部材を摺動可能に設けたものである。
【０００５】
特開２００５−１０３１５２号に係る「読書用スタンド」は、構造を簡単にして本をセットし易くした読書用スタンドである。
すなわち、基台と、この基台上に立設された伸縮可能な構成の支持手段と、この支持手段の自由端側へ着脱可能かつ傾斜角度調節可能に挿入係止される保持板部と、この保持板部の下端部に本を支えるために直角方向へ突設した支持棚部と、この支持棚部に設けた一対の下部本押え部材と、前記保持板部の下部内側へ挿脱可能に設けた一対の下部ページ押え部材と、前記保持板部の上部両側へ挿脱可能に設けた一対の上部ページ押え部材と、前記保持板部の上部に中心部を挟んで左右に挿脱可能に設けた一対の上部本押え部材とから成り、前記下部本押え部材は本押え部材と、前記支持棚部へ前後方向及び又は左右方向に設けたガイド長孔へ移動可能に挿通させた雄ネジ部と、この雄ネジ部に前記支持棚部を介してネジ着させた締付ナットとで構成している。
【０００６】
このように、読書台は色々あるが、どこへでもバックに入れて持ち歩きすることが出来るものではない。従って、使用出来る場所は家の書斎など決まった場所に限定される。
【特許文献１】実開平７−５４３３号に係る「読書台」
【特許文献２】実開平６−５８７２８号に係る「読書用スタンド」
【特許文献３】特開２００５−１０３１５２号に係る「読書用スタンド」
【発明の開示】
【発明が解決しようとする課題】
【０００７】
このように、読書台は色々あるが持運びすることが出来るものは存在しない。本発明が解決しようとする課題はこの問題点であり、机やテーブル上に載置した状態で本を載せることが出来、しかも本と一緒に何所へでも携帯可能な読書台を提供する。
【課題を解決するための手段】
【０００８】
本発明に係る読書台はボックス型をなして、内部には本を収容して携帯可能な構造としている。そして、該ボックスを開いて読書台になるように組立てることが出来る訳であり、本発明の読書台は台板と複数の脚板から成り、複数の脚板は継手を介して屈曲出来るように繋がっている。勿論、台板とも繋がり、複数の脚板は折り曲げられて台板が倒れないように支える支持脚となる。
【０００９】
本発明では上記台板の下端に筆記具収容部を設け、この筆記具収容部は台板から垂直に起立する側壁によって形成されている。そして、本の下端が載る筆記具収容部の側壁両端部は切欠かれて開口と成っていて、該開口には押え板が取付けられる。押え板の両側に切欠き溝を形成し、該切欠き溝が開口の縁に嵌入して取付けられるように成っている。ところで、上記支持脚は継手を介して繋がれている複数枚の脚板を屈曲して組立てられ、台板を適当な傾斜にて支えることが出来る。
【００１０】
また、上記押え板は上記のように着脱自在でなく、所定の位置に固定した取付け構造とすることも可能であり、Ｌ形をした弾性板を用いて構成することも出来る。例えば、上記筆記具収容部の側壁に沿って縦片を起立し、縦片上端から屈曲して押え片を台板に沿って延ばしている。縦片の下端には基板が設けられて台板に固定され、その結果、Ｌ形押え板は撓み変形することが出来る。そして、押え片は筆記具収容部の両側に設けられ、台板に置かれた本のページが捲れ上がることを押え片にて防止する。
【発明の効果】
【００１１】
本発明の読書台は台板と支持脚から成り、後方に傾斜した台板を支持脚にて支えることが出来る。従って、台板に本をもたれ掛け、筆記具収容部に本の下端が載って支持される。そこで、読者は姿勢を正しくして本を読むことが出来、勿論、前屈み状態になることもなく、長時間読書しても疲れは少ない。そして、筆記具収容部を構成している側壁に設けた開口に押え板を嵌めて取付けるならば、本のページが押えられて自然に捲れることはない。
【００１２】
また、Ｌ形弾性板で構成した押え板であれば、押え片にてページの捲れ上がりが防止される。そして、Ｌ形弾性板からなる押え板は撓み変形する為に、台板に載せる本の厚みが変わっても押え効果は得られる。これは、難解な専門書などを精読する場合に便利である。そして、本発明の読書台は、折り畳むことで内部に本を収容することが出来、どこへでも携帯することが可能となる。従って、学校の図書館は勿論のこと、喫茶店での待ち時間であっても、この読書台を組立てて読書することが出来る。
【図面の簡単な説明】
【００１３】
【図１】本発明に係る読書台を示す実施例。
【図２】読書台に本を載せて読書が出来る状態。
【図３】本のページが捲り上がることを防止する押え板。
【図４】読書台を平板に延ばした展開図。
【図５】読書台を折り畳んで内部に本を収容した状態。
【図６】本発明に係る読書台を示す他の実施例。
【図７】筆記具収容部付近に設けた押え板の別形態。
【発明を実施するための形態】
【００１４】
図１は本発明に係る読書台を示す実施例であり、同図の１は台板、２は支持脚、３は筆記具収容部を夫々表している。台板１は長方形の平板で構成し、支持脚２は脚板４、脚板５、脚板６、脚板７、脚板８にて構成され、これら各脚板８、４，５，６，７は継手を介して屈曲可能な状態で繋がっている。そこで、台板１は脚板８と繋がっており、台板１、脚板８、脚板４、脚板５、脚板６、脚板７は引き伸ばされると１枚の平板と成る。例えば、厚紙の所定の位置を切欠いて薄くすることで継手１６，１６・・・を形成し、上記台板１、脚板８，４，５，６，７を構成することが簡単に出来る。そして、台板１には筆記具収容部３が取付けられる。
【００１５】
上記支持脚２をさらに説明すると、支持脚２の縦断面は同図に示すように両辺の長さは異なるが概略「矢」のような形状している。２枚の脚板８と脚板４は机やテーブル面に置かれるために１枚の平板となって繋がれ、そして脚板７は上記台板１の背面に当接している。１枚の平板と成っている脚板８、４と脚板７とは概略Ｖ形をなし、その交差角αと成っている。
【００１６】
そして、該脚板４と脚板７の先端は、交差角βをもって概略Ｖ形をしている脚板５と脚板６とで繋がれている。このように、支持脚２は概略矢のような断面形状を成し、この断面形状の支持脚２は水平な脚板８及び脚板４と台板１の背面に当接する脚板７の交差角がαと成るように、両脚板５と脚板６とに繋がれて形成している。ただし、図１に示す支持脚２の形態はあくまでも１具体例に過ぎず、他の形態とすることも可能である。
【００１７】
そして、上記台板１の下端部には筆記具収容部３が取付けられ、該筆記具収容部３は台板１に対して垂直に起立する側壁１５を有し、側壁１５の両端部上側は一部切欠かれて３箇所に開口９，９，９を有している。そして、側壁１５にて囲まれた収容空間１０を形成し、該収容空間１０には必要な筆記具（ボールペン、鉛筆、消しゴムなど）を収容することが出来る。
【００１８】
図２は上記台板１に本１１を載せて開いた状態を示している。すなわち読書台の使用形態であり、本１１は台板１にもたれ掛かると共に下端は筆記具収容部３に載って支持される。そして、開いた本１１のページが捲れないように押え板１２，１２が筆記具収容部３の側壁１５を切欠いて設けた両側の開口９，９に取付けている。該押え板１２は図３に示すように、長方形の樹脂板にて構成し、そして両側縁には切欠き溝１３，１３を形成している。ただし、押え板１２の形状を限定するものではない。
【００１９】
従って、開口９に押え板１２を取付ける場合、切欠き溝１３，１３に開口９の両縁１４，１４を嵌入する。開口９に取付けた押え板１２は、本１１のページを押えて捲れ上ることはない。勿論、本発明の読書台を使用して読書をする際、必ずしも押え板１２，１２を使用しなくてもよい。本１１の内容によっても異なり、難解な専門書などをゆっくり時間をかけて精読する場合であれば、押え板１２，１２を取付ける方が好ましい。そして中央に設けている開口９には比較的大きな押え板１２を取付けることが出来るが、この場合には両側開口９，９の押え板１２，１２は不要となる。
【００２０】
図４は本発明の読書台の展開図であり、引き伸ばすならば長方形の平板となり、台板１の継手側には筆記具収容部３が取付けられている。台板１には継手１６を介して脚板８が繋がれ、脚板８には継手１６を介して脚板４が繋がれ、脚板４には継手１６を介して脚板５が繋がれ、脚板５には継手１６を介して脚板６が繋がれ、そして脚板６には継手１６を介して脚板７に繋がれている。
【００２１】
ここで、継手１６は板厚を薄くして構成され、各脚板８，４，５・・・は該継手１６，１６・・・を介して屈曲自在と成っている。しかし、読書台として組立てる場合には、台板１を傾斜して支えるために、これら脚板８，４，５，６・・・は前記図１に示すように折り曲げられて支持脚２が構成される。勿論、支持脚２を構成する為の脚板８，４，５，６・・・の折畳み形態は前記図１の場合に限定するものではない。
【００２２】
図５は上記各脚板８，４，５・・・を折り畳んで内部に本１１を収容した場合である。このように、脚板８，４，５・・・は折り畳むことで筒形と成り、内部には本１１が収容されて、該本１１と共に携帯することが出来る。本発明の読書台は単に読書する際に本１１を支える為だけの台ではなく、どこへでも携帯することが出来るように、読書する本１１を収容可能な構造としている。従って、この状態でカバンやバックに入れて携帯することが出来、図書館や喫茶店のテーブル上に載せて組立て、読書台として利用できる。
【００２３】
そして、脚板５にゴム紐７を取付けていて、本１１を内部に収容した状態で脚板７が開かないように該ゴム紐１７にて同図に示すように拘束している。ところで、脚板８は筆記具収容部３の側壁１５とほぼ同じ高さとしている。そして、互いに繋がっている脚板４と脚板５が一平面と成って台板１と同一寸法となり、対向面に配置している。さらに、脚板６は脚板８と同一高さと成っていて、対向する側に配置され、一方、脚板７は台板１の上に重なり合うことになる。
【００２４】
図６は本発明の読書台を示す別形態であり、筆記具収容部３は開口可能な構造と成っている。すなわち、下側の下側壁１８は倒れて開口し、該筆記具収容部３に収容されるペンなどの筆記具の出入れが容易になる。そして、下側壁１８には継手１９を介して上蓋２０が連結し、折り畳まれた状態では筆記具収容部３の収容空間１０が被覆される。そして、上側壁２２には押え板１２が取付けられる開口１９，１９・・・を有し、該上側壁２２には補強板２１が屈曲して設けられ、該補強板２１は台板１に重なり合い、両金具２３，２３にて固定されている。
【００２５】
一方、同図に示す読書台の台板１を支える支持脚２の形態をことにしている。ただし、該支持脚２は前記図１に示している場合と同じく、脚板８、脚板４、脚板５、脚板６、及び脚板７が継手１６，１６・・・を介して連結しているが、折り曲げ形態を違わせている。
【００２６】
図７は本発明に係る読書台に設けた押え板を示す別形態である。該押え板は台板１に載せた本のページが読書中に独りでに捲れないようにページを押えるものであり、前記実施例では筆記具収容部３に開口を設け、この開口に着脱自在に取付けている。しかし、図７に示す押え板は基板からＬ形をして立ち上がった構造としている。すなわち、台板１に基板２５が固定され、筆記具収容部３の側板に沿って縦片２６が起立し、該縦片２６の上端から屈曲して台板１に沿って押え片２７が延びている。
【００２７】
押え片２７は先端側が台板側へ傾斜している。縦片と押え片から成るＬ形押え板２４は基板２５が台板１に固定されている為に、押え片２７の先端を筆記具収容部の方向へ押圧すれば、撓み変形することが出来る。台板１に載せた本のページは上記押え片２７によって押えられ、ページの捲り上がりは防止される。又、弾性板で構成している押え板２４は撓み変形する為に、台板１に載った本の厚さがある程度厚くなってもページを押える効果はある。
【００２８】
図７では押え板２４の縦片２６が筆記具収容部３の内側に側壁２８に沿って起立しているが、該側壁２８を切欠いて開口を設け、この開口に縦片２６，２６を嵌めて取付けることも出来る。一方、上記押え片２７は縦片２６に対して折り曲げ、側壁２８になじむように変形可能とすることもある。すなわち、ページが捲り上らない本であれば、押え片２７が邪魔になることから、該押え片２７を折畳むことが出来るようにする。
【符号の説明】
【００２９】
１  台板
２  支持脚
３  筆記具収容部
４  脚板
５  脚板
６  脚板
７  脚板
８  脚板
９  開口
10  収容空間
11  本
12  押え板
13  切欠き溝
14  縁
15  側壁
16  継手
17  ゴム紐
18  側壁
19  継手
20  上蓋
21  補強板
22  上側板
23  金具
24  押え板
25  基板
26  縦片
27  押え片
28  側壁
【図１】
2011045703.tif 000003
【図２】
2011045703.tif 000004
【図３】
2011045703.tif 000005
【図４】
2011045703.tif 000006
【図５】
2011045703.tif 000007
【図６】
2011045703.tif 000008
【図７】
2011045703.tif 000009